(57)【要約】【課題】  ２波長マルチレーザ光源を搭載したＤＶＤ／ＣＤ共通の最適な光学系倍率を有する低価格光ピックアップ装置を提供する。【解決手段】  ＤＶＤ側の光スポット径を１．０３μm以下、あるいは、ＤＶＤ−ＲＡＭ２に対するクロストークが−２２ｄＢ以下であるとし、かつＣＤ側半導体レーザ光源の絶対最大定格の光パルス出力時に、ＣＤ側光ディスク盤面上パワー４０ｍＷ以上を満たすように、対物レンズ開口数や半導体レーザ光源のファーフィールドパターンや光学系倍率などの光学パラメータを設定する。これにより、従来の光ピックアップ装置と同等のＤＶＤの再生性能とＣＤの記録・再生性能を有した光ピックアップ装置を実現することができる。【選択図】  図１
2005158126.tif 000002
【特許請求の範囲】
【請求項１】
互いに波長が異なる第１および第２の半導体レーザ光源を同一のパッケージ内に収納したマルチレーザ光源と、該各半導体レーザ光源を発した光ビームを共に略平行光にするためのコリメートレンズと、該各光ビームを光学的情報記録媒体の所定のトラック上に集光する対物レンズと、前記光学的情報記録媒体を反射した該各光ビームを受光する光検出器とを備えた光ピックアップ装置において、
前記光学的情報記録媒体は、前記第１の半導体レーザ光源を用いたときは第１の光学的情報記録媒体が対象となり、前記第２の半導体レーザ光源を用いたときは第２の光学的情報記録媒体が対象となり、前記第１の半導体レーザ光源を発した光ビームを前記第１の光学的情報記録媒体に集光した際の前記第１の光学的情報記録媒体半径方向のスポット径が１．０３μm以下であり、前記第１の半導体レーザ光源の活性層に平行な方向に関するファーフィールドにおける発振光強度半値全角が９度以上であり、前記第１の半導体レーザ光源を用いた際の前記対物レンズの開口数が０．６０乃至０．６５において前記対物レンズの焦点距離に対する前記コリメートレンズの焦点距離の比が、
（数１）
前記対物レンズの焦点距離に対する前記コリメートレンズの焦点距離の比＝
２２０．４３×（前記第１の半導体レーザを用いた際の前記対物レンズの開口数）２
−２９４．９４×（前記第１の半導体レーザを用いた際の前記対物レンズの開口数）
＋１０２．９
を満たす値以上であり、かつ、前記第２の半導体レーザ光源の絶対最大定格の光パルス出力時に、前記第２の半導体レーザ光源を発した光ビームが前記第２の光学的情報記録媒体に集光した光スポットの最大パワーが４０ｍＷ以上であり、前記第２の半導体レーザ光源の絶対最大定格の光パルス出力値が２００ｍＷ以上であり、前記第２の半導体レーザ光源の活性層に平行な方向に関するファーフィールドにおける発振光強度半値全角が９度以下であり、前記第２の半導体レーザ光源の活性層に垂直な方向に関するファーフィールドにおける発振光強度半値全角が１６度以下であり、前記第２の半導体レーザ光源を用いた際の前記対物レンズの開口数が０．５０以上であり、前記対物レンズの焦点距離に対する前記コリメートレンズの焦点距離の比が５．７以下であることを特徴とする光ピックアップ装置。
【請求項２】
互いに波長が異なる第１および第２の半導体レーザ光源を同一のパッケージ内に収納したマルチレーザ光源と、該各半導体レーザ光源を発した光ビームを共に略平行光にするためのコリメートレンズと、該各光ビームを光学的情報記録媒体の所定のトラック上に集光する対物レンズと、前記光学的情報記録媒体を反射した該各光ビームを受光する光検出器とを備えた光ピックアップ装置において、
前記光学的情報記録媒体は、前記第１の半導体レーザ光源を用いたときは第１の光学的情報記録媒体が対象となり、前記第２の半導体レーザ光源を用いたときは第２の光学的情報記録媒体が対象となり、前記第１の半導体レーザ光源を発した光ビームを前記第１の光学的情報記録媒体に集光した際の前記第１の光学的情報記録媒体半径方向のスポット径が１．０３μm以下であり、前記第１の半導体レーザ光源の活性層に平行な方向に関するファーフィールドにおける発振光強度半値全角が９度以上であり、前記第１の半導体レーザ光源を用いた際の前記対物レンズの開口数が０．６０乃至０．６５において前記対物レンズの焦点距離に対する前記コリメートレンズの焦点距離の比が、
（数１）
前記対物レンズの焦点距離に対する前記コリメートレンズの焦点距離の比＝
２２０．４３×（前記第１の半導体レーザを用いた際の前記対物レンズの開口数）２
−２９４．９４×（前記第１の半導体レーザを用いた際の前記対物レンズの開口数）
＋１０２．９
を満たす値以上であり、かつ、前記第２の半導体レーザ光源の絶対最大定格の光パルス出力時に、前記第２の半導体レーザ光源を発した光ビームが前記第２の光学的情報記録媒体に集光した光スポットの最大パワーが４０ｍＷ以上であり、前記第２の半導体レーザ光源の絶対最大定格の光パルス出力値が２００ｍＷ以上であり、前記第２の半導体レーザ光源の活性層に平行な方向に関するファーフィールドにおける発振光強度半値全角が９度以下であり、前記第２の半導体レーザ光源の活性層に垂直な方向に関するファーフィールドにおける発振光強度半値全角が１７度以下であり、前記第２の半導体レーザ光源を用いた際の前記対物レンズの開口数が０．５０以上であり、前記対物レンズの焦点距離に対する前記コリメートレンズの焦点距離の比が５．５以下であることを特徴とする光ピックアップ装置。
【請求項３】
互いに波長が異なる第１および第２の半導体レーザ光源を同一のパッケージ内に収納したマルチレーザ光源と、該各半導体レーザ光源を発した光ビームを共に略平行光にするためのコリメートレンズと、該各光ビームを光学的情報記録媒体の所定のトラック上に集光する対物レンズと、前記光学的情報記録媒体を反射した該各光ビームを受光する光検出器とを備えた光ピックアップ装置において、
前記光学的情報記録媒体は、前記第１の半導体レーザ光源を用いたときは第１の光学的情報記録媒体が対象となり、前記第２の半導体レーザ光源を用いたときは第２の光学的情報記録媒体が対象となり、前記第１の半導体レーザ光源を用いて片面容量が４．７ＧＢのＤＶＤ−ＲＡＭディスクの信号を再生した際の隣接トラックの信号のもれこみが−２２ｄＢ以下であり、前記第１の半導体レーザ光源の活性層に平行な方向に関するファーフィールドにおける発振光強度半値全角が９度以上であり、前記第１の半導体レーザ光源を用いた際の前記対物レンズの開口数が０．６０乃至０．６５において前記対物レンズの焦点距離に対する前記コリメートレンズの焦点距離の比が、
（数２）
前記対物レンズの焦点距離に対する前記コリメートレンズの焦点距離の比
＝１５９．６×（前記第１の半導体レーザを用いた際の前記対物レンズの開口数）2
−２１４．２２×（前記第１の半導体レーザを用いた際の前記対物レンズの開口数）
＋７６．５８５
を満たす値以上であり、かつ、前記第２の半導体レーザ光源の絶対最大定格の光パルス出力時に、前記第２の半導体レーザ光源を発した光ビームが前記第２の光学的情報記録媒体に集光した光スポットの最大パワーが４０ｍＷ以上であり、前記第２の半導体レーザ光源の絶対最大定格の光パルス出力値が２００ｍＷ以上であり、前記第２の半導体レーザ光源の活性層に平行な方向に関するファーフィールドにおける発振光強度半値全角が９度以下であり、前記第２の半導体レーザ光源の活性層に垂直な方向に関するファーフィールドにおける発振光強度半値全角が１６度以下であり、前記第２の半導体レーザ光源を用いた際の前記対物レンズの開口数が０．５０以上であり、前記対物レンズの焦点距離に対する前記コリメートレンズの焦点距離の比が５．７以下であることを特徴とする光ピックアップ装置。
【請求項４】
互いに波長が異なる第１および第２の半導体レーザ光源を同一のパッケージ内に収納したマルチレーザ光源と、該各半導体レーザ光源を発した光ビームを共に略平行光にするためのコリメートレンズと、該各光ビームを光学的情報記録媒体の所定のトラック上に集光する対物レンズと、前記光学的情報記録媒体を反射した該各光ビームを受光する光検出器とを備えた光ピックアップ装置において、
前記光学的情報記録媒体は、前記第１の半導体レーザ光源を用いたときは第１の光学的情報記録媒体が対象となり、前記第２の半導体レーザ光源を用いたときは第２の光学的情報記録媒体が対象となり、前記第１の半導体レーザ光源を用いて片面容量が４．７ＧＢのＤＶＤ−ＲＡＭディスクの信号を再生した際の隣接トラックの信号のもれこみが−２２ｄＢ以下であり、前記第１の半導体レーザ光源の活性層に平行な方向に関するファーフィールドにおける発振光強度半値全角が９度以上であり、前記第１の半導体レーザ光源を用いた際の前記対物レンズの開口数が０．６０乃至０．６５において前記対物レンズの焦点距離に対する前記コリメートレンズの焦点距離の比が、
（数２）
前記対物レンズの焦点距離に対する前記コリメートレンズの焦点距離の比
＝１５９．６×（前記第１の半導体レーザを用いた際の前記対物レンズの開口数）2
−２１４．２２×（前記第１の半導体レーザを用いた際の前記対物レンズの開口数）
＋７６．５８５
を満たす値以上であり、かつ、前記第２の半導体レーザ光源の絶対最大定格の光パルス出力時に、前記第２の半導体レーザ光源を発した光ビームが前記第２の光学的情報記録媒体に集光した光スポットの最大パワーが４０ｍＷ以上であり、前記第２の半導体レーザ光源の絶対最大定格の光パルス出力値が２００ｍＷ以上であり、前記第２の半導体レーザ光源の活性層に平行な方向に関するファーフィールドにおける発振光強度半値全角が９度以下であり、前記第２の半導体レーザ光源の活性層に垂直な方向に関するファーフィールドにおける発振光強度半値全角が１７度以下であり、前記第２の半導体レーザ光源を用いた際の前記対物レンズの開口数が０．５０以上であり、前記対物レンズの焦点距離に対する前記コリメートレンズの焦点距離の比が５．５以下であることを特徴とする光ピックアップ装置。
【請求項５】
請求項１乃至４記載の光ピックアップ装置を搭載したことを特徴とする光学的情報記録再生装置。
【発明の詳細な説明】
【技術分野】
【０００１】
本発明はＤＶＤやＣＤのように、記録密度の異なる複数の光学的情報記録媒体（以降、光ディスクと述べる）に対応した記録再生用光ピックアップ装置に関するものであり、かつＤＶＤ用レーザ光源とＣＤ用レーザ光源のように、互いに発振波長の異なるレーザ光源を同一のパッケージ内に収納したマルチレーザ光源（以降、２波長マルチレーザ光源と述べる）を搭載した光ピックアップ装置並びに、該光ピックアップ装置を搭載した光学的情報記録再生装置（以下、光ディスク装置と述べる）に関するものである。
【背景技術】
【０００２】
近年、光ピックアップ装置の小型化、低コスト化を目的として、２波長マルチレーザ光源を用いた光ピックアップ装置が注目されている。２波長マルチレーザ光源を用いた光ピックアップ装置でＤＶＤ系ディスクおよびＣＤ系ディスクの再生機能を持つ、いわゆるＤＶＤプレーヤーに関してはすでに構造とともに光学系の条件は明らかになっている（例えば特許文献１参照）。
【０００３】
しかし、近年、需要が急速に高まっている、同一の光ピックアップ装置で、ＤＶＤの再生機能と、ＣＤ、ＣＤ−Ｒ、ＣＤ−ＲＷなどのＣＤ系ディスクの記録／再生機能を兼ね備えた、いわゆるコンビ光ピックアップ装置で２波長マルチレーザ光源を用いたものに関しては、未だ光学系の条件は明らかになっていない。
【０００４】
ところで、ＤＶＤはＣＤに比べて極めて高密度に信号が記録されているため、それを再生するには、光ディスク上に照射される光ディスクの光スポットが十分に絞れていないと、信号再生時に隣接トラックの信号成分がもれこんだり再生信号の周波数特性が劣化して、結果的に再生性能が劣化してしまう。このため、ＤＶＤ再生用の光ピックアップ装置では、光スポットを小さく絞り込むために、対物レンズの焦点距離に対するコリメートレンズの焦点距離の比で定義されるＤＶＤ光学系の倍率を高く設定していた。
【０００５】
これに対して、ＣＤ−ＲやＣＤ−ＲＷの記録では、光ディスク上に照射される光スポットに、記録に必要な所定のパワーを供給することが重要課題であり、高速記録に対応させるためには、より高い光ディスク盤面上レーザパワーが得られるように、対物レンズの焦点距離に対するコリメートレンズの焦点距離の比で定義されるＣＤ光学系の倍率を低く設定する必要があった。
【０００６】
そのため光ピックアップ装置においては、ＤＶＤ光学系またはＣＤ光学系のコリメート光学系を各々、複数のレンズを用いて構成する事で互いに異なる光学系倍率を実現していた（例えば特許文献２等参照）。
【０００７】
【特許文献１】特開２００１−２２２８２５号公報（図２）
【０００８】
【特許文献２】特開２００２−２３７０８６号公報（第２頁）
【発明の開示】
【発明が解決しようとする課題】
【０００９】
しかしながら、例えばＤＶＤ用レーザ光源とＣＤ用レーザ光源を同一のパッケージ内に収納した２波長マルチレーザ光源を用いてＤＶＤ再生／ＣＤ記録・再生に対応したコンビ光ピックアップ装置を実現する場合は、ＤＶＤ系とＣＤ系の光路が共通となるため、ＤＶＤ系／ＣＤ系共に同一の光学系倍率にせざるを得ない。しかし、このような場合、ＤＶＤの再生性能とＣＤ系ディスクへの高速記録・再生を共に満足するような共通の光学系倍率については今まで明らかになっていなかった。
【００１０】
そこで本発明では、２波長マルチレーザ光源を搭載したコンビ光ピックアップ装置において共通となるＤＶＤ／ＣＤの光学系倍率の最適値を提供することを目的とする。
【課題を解決するための手段】
【００１１】
上記目的を実現するために本発明では、互いに波長が異なる第１および第２の半導体レーザ光源を同一のパッケージ内に収納したマルチレーザ光源と、該各半導体レーザ光源を発した光ビームを共に略平行光にするためのコリメートレンズと、該各光ビームを光学的情報記録媒体の所定のトラック上に集光する対物レンズと、前記光学的情報記録媒体を反射した該各光ビームを受光する光検出器とを備えた光ピックアップ装置において、前記光学的情報記録媒体は、前記第１の半導体レーザ光源を用いたときは第１の光学的情報記録媒体が対象となり、前記第２の半導体レーザ光源を用いたときは第２の光学的情報記録媒体が対象となり、前記第１の半導体レーザ光源を発した光ビームを前記第１の光学的情報記録媒体に集光した際の前記第１の光学的情報記録媒体半径方向のスポット径が１．０３μm以下であり、前記第１の半導体レーザ光源の活性層に平行な方向に関するファーフィールドにおける発振光強度半値全角が９度以上であり、前記第１の半導体レーザ光源を用いた際の前記対物レンズの開口数が０．６０乃至０．６５において前記対物レンズの焦点距離に対する前記コリメートレンズの焦点距離の比が、
（数１）
前記対物レンズの焦点距離に対する前記コリメートレンズの焦点距離の比＝
２２０．４３×（前記第１の半導体レーザを用いた際の前記対物レンズの開口数）２
−２９４．９４×（前記第１の半導体レーザを用いた際の前記対物レンズの開口数）
＋１０２．９
を満たす値以上であり、かつ、前記第２の半導体レーザ光源の絶対最大定格の光パルス出力時に、前記第２の半導体レーザ光源を発した光ビームが前記第２の光学的情報記録媒体に集光した光スポットの最大パワーが４０ｍＷ以上であり、前記第２の半導体レーザ光源の絶対最大定格の光パルス出力値が２００ｍＷ以上であり、前記第２の半導体レーザ光源の活性層に平行な方向に関するファーフィールドにおける発振光強度半値全角が９度以下であり、前記第２の半導体レーザ光源の活性層に垂直な方向に関するファーフィールドにおける発振光強度半値全角が１６度以下であり、前記第２の半導体レーザ光源を用いた際の前記対物レンズの開口数が０．５０以上であり、前記対物レンズの焦点距離に対する前記コリメートレンズの焦点距離の比が５．７以下であることを特徴とする。
【００１２】
または、互いに波長が異なる第１および第２の半導体レーザ光源を同一のパッケージ内に収納したマルチレーザ光源と、該各半導体レーザ光源を発した光ビームを共に略平行光にするためのコリメートレンズと、該各光ビームを光学的情報記録媒体の所定のトラック上に集光する対物レンズと、前記光学的情報記録媒体を反射した該各光ビームを受光する光検出器とを備えた光ピックアップ装置において、前記光学的情報記録媒体は、前記第１の半導体レーザ光源を用いたときは第１の光学的情報記録媒体が対象となり、前記第２の半導体レーザ光源を用いたときは第２の光学的情報記録媒体が対象となり、前記第１の半導体レーザ光源を発した光ビームを前記第１の光学的情報記録媒体に集光した際の前記第１の光学的情報記録媒体半径方向のスポット径が１．０３μm以下であり、前記第１の半導体レーザ光源の活性層に平行な方向に関するファーフィールドにおける発振光強度半値全角が９度以上であり、前記第１の半導体レーザ光源を用いた際の前記対物レンズの開口数が０．６０乃至０．６５において前記対物レンズの焦点距離に対する前記コリメートレンズの焦点距離の比が、前記（数１）を満たす値以上であり、かつ、前記第２の半導体レーザ光源の絶対最大定格の光パルス出力時に、前記第２の半導体レーザ光源を発した光ビームが前記第２の光学的情報記録媒体に集光した光スポットの最大パワーが４０ｍＷ以上であり、前記第２の半導体レーザ光源の絶対最大定格の光パルス出力値が２００ｍＷ以上であり、前記第２の半導体レーザ光源の活性層に平行な方向に関するファーフィールドにおける発振光強度半値全角が９度以下であり、前記第２の半導体レーザ光源の活性層に垂直な方向に関するファーフィールドにおける発振光強度半値全角が１７度以下であり、前記第２の半導体レーザ光源を用いた際の前記対物レンズの開口数が０．５０以上であり、前記対物レンズの焦点距離に対する前記コリメートレンズの焦点距離の比が５．５以下であることを特徴とする。
【００１３】
または、互いに波長が異なる第１および第２の半導体レーザ光源を同一のパッケージ内に収納したマルチレーザ光源と、該各半導体レーザ光源を発した光ビームを共に略平行光にするためのコリメートレンズと、該各光ビームを光学的情報記録媒体の所定のトラック上に集光する対物レンズと、前記光学的情報記録媒体を反射した該各光ビームを受光する光検出器とを備えた光ピックアップ装置において、前記光学的情報記録媒体は、前記第１の半導体レーザ光源を用いたときは第１の光学的情報記録媒体が対象となり、前記第２の半導体レーザ光源を用いたときは第２の光学的情報記録媒体が対象となり、前記第１の半導体レーザ光源を用いて片面容量が４．７ＧＢのＤＶＤ−ＲＡＭディスクの信号を再生した際の隣接トラックの信号のもれこみが−２２ｄＢ以下であり、前記第１の半導体レーザ光源の活性層に平行な方向に関するファーフィールドにおける発振光強度半値全角が９度以上であり、前記第１の半導体レーザ光源を用いた際の前記対物レンズの開口数が０．６０乃至０．６５において前記対物レンズの焦点距離に対する前記コリメートレンズの焦点距離の比が、
（数２）
前記対物レンズの焦点距離に対する前記コリメートレンズの焦点距離の比
＝１５９．６×（前記第１の半導体レーザを用いた際の前記対物レンズの開口数）2
−２１４．２２×（前記第１の半導体レーザを用いた際の前記対物レンズの開口数）
＋７６．５８５
を満たす値以上であり、かつ、前記第２の半導体レーザ光源の絶対最大定格の光パルス出力時に、前記第２の半導体レーザ光源を発した光ビームが前記第２の光学的情報記録媒体に集光した光スポットの最大パワーが４０ｍＷ以上であり、前記第２の半導体レーザ光源の絶対最大定格の光パルス出力値が２００ｍＷ以上であり、前記第２の半導体レーザ光源の活性層に平行な方向に関するファーフィールドにおける発振光強度半値全角が９度以下であり、前記第２の半導体レーザ光源の活性層に垂直な方向に関するファーフィールドにおける発振光強度半値全角が１６度以下であり、前記第２の半導体レーザ光源を用いた際の前記対物レンズの開口数が０．５０以上であり、前記対物レンズの焦点距離に対する前記コリメートレンズの焦点距離の比が５．７以下であることを特徴とする。
【００１４】
あるいは、互いに波長が異なる第１および第２の半導体レーザ光源を同一のパッケージ内に収納したマルチレーザ光源と、該各半導体レーザ光源を発した光ビームを共に略平行光にするためのコリメートレンズと、該各光ビームを光学的情報記録媒体の所定のトラック上に集光する対物レンズと、前記光学的情報記録媒体を反射した該各光ビームを受光する光検出器とを備えた光ピックアップ装置において、前記光学的情報記録媒体は、前記第１の半導体レーザ光源を用いたときは第１の光学的情報記録媒体が対象となり、前記第２の半導体レーザ光源を用いたときは第２の光学的情報記録媒体が対象となり、前記第１の半導体レーザ光源を用いて片面容量が４．７ＧＢのＤＶＤ−ＲＡＭディスクの信号を再生した際の隣接トラックの信号のもれこみが−２２ｄＢ以下であり、前記第１の半導体レーザ光源の活性層に平行な方向に関するファーフィールドにおける発振光強度半値全角が９度以上であり、前記第１の半導体レーザ光源を用いた際の前記対物レンズの開口数が０．６０乃至０．６５において前記対物レンズの焦点距離に対する前記コリメートレンズの焦点距離の比が、前記（数２）を満たす値以上であり、かつ、前記第２の半導体レーザ光源の絶対最大定格の光パルス出力時に、前記第２の半導体レーザ光源を発した光ビームが前記第２の光学的情報記録媒体に集光した光スポットの最大パワーが４０ｍＷ以上であり、前記第２の半導体レーザ光源の絶対最大定格の光パルス出力値が２００ｍＷ以上であり、前記第２の半導体レーザ光源の活性層に平行な方向に関するファーフィールドにおける発振光強度半値全角が９度以下であり、前記第２の半導体レーザ光源の活性層に垂直な方向に関するファーフィールドにおける発振光強度半値全角が１７度以下であり、前記第２の半導体レーザ光源を用いた際の前記対物レンズの開口数が０．５０以上であり、前記対物レンズの焦点距離に対する前記コリメートレンズの焦点距離の比が５．５以下であることを特徴とする。
【００１５】
もしくは、これら光ピックアップ装置を光学的情報記録再生装置に搭載する。
【発明の効果】
【００１６】
以上述べたように、本発明により、ＤＶＤ系／ＣＤ系で光路が共通となる２波長マルチレーザ光源を搭載した光ピックアップ装置において、ＤＶＤ系ディスクの再生性能の確保とＣＤ系ディスクの記録／再生性能の確保を両立することができる。
【発明を実施するための最良の形態】
【００１７】
以下、本発明の光ピックアップ装置に関する第１の実施例について、図１を用いて説明する。図１は本発明の一実施例を示した構成図であり、ＤＶＤ再生およびＣＤ記録／再生機能を有した光ピックアップ装置を示す。
【００１８】
符号１は、波長６６０ｎｍ帯のレーザ光を発する半導体レーザ光源と波長７８０ｎｍ帯のレーザ光を発する半導体レーザ光源を同一のパッケージ内に格納した２波長マルチレーザ光源である。波長６６０ｎｍ帯のレーザ光を発する半導体レーザ光源は、ＤＶＤ系ディスクを再生する場合に点灯し、波長７８０ｎｍ帯のレーザ光を発する半導体レーザ光源は、ＣＤ，ＣＤ−ＲＯＭ，ＣＤ−ＲディスクなどのＣＤ系ディスクを再生もしくは記録する場合に点灯するようになっている。
【００１９】
２波長マルチレーザ光源１を発した各レーザ光は、回折格子２を通過した後、ビームスプリッター３を反射し、コリメートレンズ４に入射する。コリメートレンズ４によって、略平行光となった光ビームは立ち上げミラー５を反射し、対物レンズ６に入射し、ＤＶＤ系ディスクもしくはＣＤ系ディスクといった光ディスク７に照射され、反射する。ＤＶＤ系ディスクもしくはＣＤ系ディスクといった光ディスク７を反射した各光ビームは、往路とほぼ同じ光路を逆にたどり、対物レンズ６、立ち上げミラー５、コリメートレンズ４を経て、ビームスプリッター３に達する。そして、このビームスプリッター３を透過した光ビームは検出レンズ８を経て、光検出器９に入射する。
【００２０】
ところで、通常、ファーフィールドにおける半導体レーザ光源の活性層に平行な方向に関する発振光強度半値全角（以下、θ｜｜と記す）と、垂直な方向に関する発振光強度半値全角（以下、θ⊥と記す）を比較した場合、θ｜｜のほうがθ⊥よりも狭い。このような光ビームを集光してできる光ディスク上の光スポット径は、θ⊥方向に比べて、θ｜｜方向の方が大きい。従来の光ピックアップ装置においては情報トラック方向の再生時の周波数特性を確保するため、光スポット径が小さいθ⊥方向を光ディスクの情報トラック方向（接線方向）に合わせ、逆に光スポット径が大きいθ｜｜方向を光ディスクの半径方向に合わせて配置するのが一般的であった。
【００２１】
しかしながら、ＤＶＤ系の光ディスクは、記録された信号のトラックピッチが０．６１５から０．７４μmと非常に狭いため、光ディスクの半径方向の光スポット径も十分に絞れていないと、信号再生時に隣接トラックの信号がもれこみ、これが外乱となり再生性能を劣化させてしまう。
【００２２】
ここで、光ディスク上に照射される光スポットの光ディスク半径方向のスポット径は一般に、対物レンズの開口数（ＮＡと記す）、半導体レーザ光源の波長、θ｜｜、および光学系倍率によって決まる。従来、ＤＶＤ再生機能をもつ光ピックアップ装置の光学系パラメータは、対物レンズＮＡは０．６０から０．６５、光学系倍率は略６．５から７．０倍である。また、ＤＶＤ用半導体レーザ光源に関しては一般に、発振波長は６６０ｎｍ帯、また、θ｜｜の平均値は７．５から８．５度である。ここで、ＤＶＤ側半導体レーザ光源のθ｜｜方向を光ディスクの半径方向に合わせた場合において、上記の光学パラメータを用い、ＤＶＤ側光ディスク半径方向のスポット径の１／ｅ２全幅を計算すると、ＤＶＤ側光ディスク半径方向のスポット径の１／ｅ２全幅は０．９３μmから１．０３μm程度となる。したがって、従来と同等のＤＶＤ再生性能を確保するためにはＤＶＤ側光ディスク半径方向のスポット径の１／ｅ２全幅を、最低でも１．０３μm以下とする必要がある。これより、本実施例における光ピックアップ装置においては、ＤＶＤ側光ディスク半径方向のスポット径の１／ｅ２全幅が、例えば日商エレクトロニクス社製の光ピックアップ評価装置ＯＰＴ−１Ｗで測定した場合に１．０３μm以下となるように、ＤＶＤ側光学系のパラメータを設定している。
【００２３】
現在、実現性のあるコンビ光ピックアップ用２波長マルチレーザ光源のＤＶＤレーザ光源のθ｜｜の平均値は、従来のＤＶＤ用半導体レーザ光源のθ｜｜の平均値よりも大きく、９度以上になると考えられている。そこで、例えばＤＶＤ側半導体レーザ光源の波長を６５５ｎｍ、θ｜｜を９度として、光学系倍率とＤＶＤ側光ディスク半径方向スポット径の１／ｅ２全幅の関係を対物レンズＮＡが０．６０から０．６５の範囲でプロットすると、図２のようになる。図２のライン（ａ）は対物レンズＮＡが０．６０であるときの光学系倍率とＤＶＤ側光ディスク半径方向スポット径の１／ｅ２全幅の関係を示す。これより、光学系倍率が５．３倍以上であれば、ＤＶＤ側光ディスク半径方向スポット径の１／ｅ２全幅は従来と同程度の１．０３μmもしくはそれ以下となることが分かる。同様に、図２のライン（ｂ）は対物レンズＮＡが０．６１であるときの光学系倍率とＤＶＤ側光ディスク半径方向スポット径の１／ｅ２全幅の関係を示す。これより、光学系倍率が５．０倍以上であれば、ＤＶＤ側光ディスク半径方向スポット径の１／ｅ２全幅は従来と同程度の１．０３μmもしくはそれ以下となることが分かる。同様に、図２のライン（ｃ）は対物レンズＮＡが０．６２であるときの光学系倍率とＤＶＤ側光ディスク半径方向スポット径の１／ｅ２全幅の関係を示す。これより、光学系倍率が４．８倍以上であれば、ＤＶＤ側光ディスク半径方向スポット径の１／ｅ２全幅は従来と同程度の１．０３μmもしくはそれ以下となることが分かる。同様に、図２のライン（ｄ）は対物レンズＮＡが０．６３であるときの光学系倍率とＤＶＤ側光ディスク半径方向スポット径の１／ｅ２全幅の関係を示す。これより、光学系倍率が４．６倍以上であれば、ＤＶＤ側光ディスク半径方向スポット径の１／ｅ２全幅は従来と同程度の１．０３μmもしくはそれ以下となることが分かる。同様に、図２のライン（ｅ）は対物レンズＮＡが０．６４であるときの光学系倍率とＤＶＤ側光ディスク半径方向スポット径の１／ｅ２全幅の関係を示す。これより、光学系倍率が４．４倍以上であれば、ＤＶＤ側光ディスク半径方向スポット径の１／ｅ２全幅は従来と同程度の１．０３μmもしくはそれ以下となることが分かる。同様に、図２のライン（ｆ）は対物レンズＮＡが０．６５であるときの光学系倍率とＤＶＤ側光ディスク半径方向スポット径の１／ｅ２全幅の関係を示す。これより、光学系倍率が４．３倍以上であれば、ＤＶＤ側光ディスク半径方向スポット径の１／ｅ２全幅は従来と同程度の１．０３μmもしくはそれ以下となることが分かる。
【００２４】
なお、ＤＶＤ側対物レンズＮＡは、０．６０、０．６１、０．６２、０．６３、０．６４、０．６５に限定されるものではない。ここで、ＤＶＤ側対物レンズＮＡに関して、０．６０から０．６５の間で一般化するために、ＤＶＤ側光ディスク半径方向スポット径の１／ｅ２全幅が従来と同程度の１．０３μmとなるようなＤＶＤ側対物レンズＮＡと最小の光学系倍率の関係を図示すると、図３のようになる。そして、これを近似式で表すと、
（数３）
（光学系倍率）
＝２２０．４３×（ＤＶＤ側ＮＡ）２−２９４．９４×（ＤＶＤ側ＮＡ）＋１０２．９
のようになる。したがって、ＤＶＤ側θ｜｜＝９度、ＤＶＤ側対物レンズＮＡが０．６０から０．６５の範囲において、あるＤＶＤ側対物レンズＮＡに対して、ＤＶＤ側光ディスク半径方向スポット径の１／ｅ２全幅が従来と同程度の１．０３μmもしくはそれ以下となるための光学系倍率は、前記数（３）で表す光学系倍率以上となる。ゆえに、例えばＤＶＤ側対物レンズＮＡが０．６０５のときは、光学系倍率は５．１倍以上とすれば良い。
【００２５】
なお、上記のＤＶＤ側光ディスク半径方向スポット径の１／ｅ２全幅はすべて、θ｜｜＝９度として計算を行ったが、これに限定されるものではなく、ＤＶＤ側光ディスク半径方向スポット径の１／ｅ２全幅はθ｜｜が大きいほど小さくなるので、θ｜｜が９度以上であっても一向に構わない。
【００２６】
続いて、本発明の光ピックアップ装置に関する第２の実施例について説明する。本実施例の基本構成は第１の実施例において示した図１と同じであるが、本実施例では、ＤＶＤ系光ディスクの中でトラックピッチが０．６１５μmと最も狭い、片面容量が４．７ＧＢのＤＶＤ−ＲＡＭディスク（以下ＤＶＤ−ＲＡＭ２と述べる）に対する隣接トラックの信号のもれこみによる外乱（以下、クロストークと述べる）が所定の値以下となるように、各光学パラメータを設定している。
【００２７】
ここで、ＤＶＤ−ＲＡＭ２に対するクロストークとは、図４（ａ）に示すように「３Ｔ信号の隣に１１Ｔ信号がある記録ディスクを用いて、３Ｔ信号トラックを再生する」際に、図４（ｂ）に示すような「再生ＲＦ信号の周波数スペクトラム」が得られたときに、
（数４）
ＤＶＤ−ＲＡＭ２に対するクロストーク
＝２０Ｌｏｇ｛（１１Ｔ隣接トラック信号振幅）／（３Ｔ信号振幅）｝
に示すように「３Ｔ信号成分に対する１１Ｔ信号成分の比の対数値に２０をかけたもの」として定義している。一般に、良好な再生性能を得るためには、ＤＶＤ−ＲＡＭ２に対するクロストークは小さいほど良く、−２２ｄＢ以下とする必要があるので、本実施例においては、ＤＶＤ−ＲＡＭ２に対するクロストークが−２２ｄＢ以下となるように光学系倍率や対物レンズＮＡなどの光学パラメータを設定している。
【００２８】
本実施例では、前記の実施例１と同様に、現在実現性のあるコンビ光ピックアップ用２波長マルチレーザ光源のＤＶＤレーザ光源のθ｜｜の平均値として、従来のＤＶＤ用半導体レーザ光源のθ｜｜の平均値よりも大きく、９度以上になると考えている。そこで、例えば、対物レンズＮＡが０．６０であるとき、ＤＶＤ側レーザ光源の波長を６５５nm、θ｜｜＝９度とした場合の光学系倍率とＤＶＤ−ＲＡＭ２に対するクロストークの関係をプロットすると、図５のライン（ａ）のようになる。θ｜｜の値は大きいほど、ＤＶＤ−ＲＡＭ２に対するクロストークは良くなるので、ＮＡが０．６０のとき、θ｜｜が９度以上、光学系倍率を５．５倍以上確保すれば、ＤＶＤ−ＲＡＭ２に対するクロストークは−２２ｄＢ以下となる。同様に、対物レンズＮＡが０．６１であるとき、ＤＶＤ側レーザ光源の波長を６５５nm、θ｜｜＝９度とした場合の光学系倍率とＤＶＤ−ＲＡＭ２に対するクロストークの関係をプロットすると、図５のライン（ｂ）のようになる。これより、ＮＡが０．６１のとき、θ｜｜が９度以上、光学系倍率を５．３倍以上確保すれば、ＤＶＤ−ＲＡＭ２に対するクロストークは−２２ｄＢ以下となる。同様に、対物レンズＮＡが０．６２であるとき、ＤＶＤ側レーザ光源の波長を６５５nm、θ｜｜＝９度とした場合の光学系倍率とＤＶＤ−ＲＡＭ２に対するクロストークの関係をプロットすると、図５のライン（ｃ）のようになる。これより、ＮＡが０．６２のとき、θ｜｜が９度以上、光学系倍率を５．１倍以上確保すれば、ＤＶＤ−ＲＡＭ２に対するクロストークは−２２ｄＢ以下となる。同様に、対物レンズＮＡが０．６３であるとき、ＤＶＤ側レーザ光源の波長を６５５nm、θ｜｜＝９度とした場合の光学系倍率とＤＶＤ−ＲＡＭ２に対するクロストークの関係をプロットすると、図５のライン（ｄ）のようになる。これより、ＮＡが０．６３のとき、θ｜｜が９度以上、光学系倍率を５．０倍以上確保すれば、ＤＶＤ−ＲＡＭ２に対するクロストークは−２２ｄＢ以下となる。同様に、対物レンズＮＡが０．６４であるとき、ＤＶＤ側レーザ光源の波長を６５５nm、θ｜｜＝９度とした場合の光学系倍率とＤＶＤ−ＲＡＭ２に対するクロストークの関係をプロットすると、図５のライン（ｅ）のようになる。これより、ＮＡが０．６４のとき、θ｜｜が９度以上、光学系倍率を４．９倍以上確保すれば、ＤＶＤ−ＲＡＭ２に対するクロストークは−２２ｄＢ以下となる。同様に、対物レンズＮＡが０．６５であるとき、ＤＶＤ側レーザ光源の波長を６５５nm、θ｜｜＝９度とした場合の光学系倍率とＤＶＤ−ＲＡＭ２に対するクロストークの関係をプロットすると、図５のライン（ｆ）のようになる。これより、ＮＡが０．６５のとき、θ｜｜が９度以上、光学系倍率を４．８倍以上確保すれば、ＤＶＤ−ＲＡＭ２に対するクロストークは−２２ｄＢ以下となる。
【００２９】
なお、ＤＶＤ側対物レンズＮＡは、０．６０、０．６１、０．６２、０．６３、０．６４、０．６５に限定されるものではない。ここで、ＤＶＤ側対物レンズＮＡに関して、０．６０から０．６５の間で一般化するために、ＤＶＤ−ＲＡＭ２に対するクロストークが−２２ｄＢ以下となるようなＤＶＤ側対物レンズＮＡと最小の光学系倍率の関係を図示すると、図６のようになる。そして、これを近似式で表すと、
（数５）
（光学系倍率）
＝１５９．６×（ＤＶＤ側ＮＡ）２−２１４．２２×（ＤＶＤ側ＮＡ）＋７６．５８５
のようになる。したがって、ＤＶＤ側θ｜｜＝９度以上、ＤＶＤ側対物レンズＮＡが０．６０から０．６５の範囲において、あるＤＶＤ側対物レンズＮＡに対して、ＤＶＤ−ＲＡＭ２に対するクロストークが−２２ｄＢ以下となるための光学系倍率は、前記数（５）で表す光学系倍率以上となる。ゆえに、例えばＤＶＤ側対物レンズＮＡが０．６０５のときは、光学系倍率は５．４倍以上とすれば良い。
【００３０】
なお、前述した本発明の光ピックアップ装置に関する第１および第２の実施例において、ＣＤ側に関しては、ＣＤ側半導体レーザ光源の絶対最大定格の光パルス出力時に、ＣＤ−Ｒディスクなどの光ディスク盤面上に集光する光スポットの最大パワー（以降、ＣＤ側ディスク盤面上パワーと述べる）が、所定の値以上となるように光学パラメータを設定している。例えば太陽誘電株式会社の太陽誘電技報vol.14によると、記録速度が１から８倍までの場合の記録速度と記録パワーの関係は、図７のようになる。ここで、記録速度がα倍になった際の記録パワーは一般にαの平方根の分だけ乗じた値となることが経験上一般に知られている。よって、例えばノートパソコン用光ピックアップ装置の最大倍速である２４倍速における記録パワーを上記の関係から計算すると、図７に示すとおり略３１ｍＷとなる。ただし、光ディスクの色素のエネルギー吸収特性の違いや熱伝導の違い、また、光ピックアップ装置のスポット品位やレーザ光源の波長変動、さらに、ストラテジの違いなどを考慮する必要がある。本発明においては、例えばＣＤ−Ｒの記録速度が２４倍速程度に対応させるため、図７に示した記録パワーにマージンをみて、ＣＤ側半導体レーザ光源の絶対最大定格の光パルス出力時にＣＤ側光ディスク盤面上パワーが４０ｍＷ以上出せるよう設定している。
【００３１】
ここで光ディスク盤面上パワーは一般に、半導体レーザ光源の出力パワーと光ピックアップ装置光学系の光利用効率によって決まる。また、光ピックアップ装置光学系の光利用効率は、光路中に配置された光学部品の部品効率の総計と、光学系のカップリング効率によって決まり、さらに、カップリング効率は、半導体レーザ光源のθ｜｜、θ⊥、対物レンズＮＡ、および光学系倍率によって決まる。
【００３２】
現在実現性のあるコンビ光ピックアップ用２波長マルチレーザ光源のＣＤレーザ光源のθ｜｜およびθ⊥の平均値はメーカにより多少異なるが、θ｜｜は略９度、θ⊥は略１６度から１７度と考えられ、また、光パルス出力の絶対最大定格値は２００ｍＷ以上が想定される。ここで、例えば絶対最大定格の光パルス出力が２００ｍＷであるＣＤ側半導体レーザ光源を用いた場合、光利用効率が２０％以上であれば、２００ｍＷ×２０％＝４０ｍＷとなり、ＣＤ側光ディスク盤面上パワー４０ｍＷを確保することができる。また、部品効率は一般に６０％程度であるので、例えば部品効率を６０％、ＣＤ側対物レンズＮＡを０．５０とした場合の各倍率におけるＣＤ側光ディスク盤面上パワー４０ｍＷを確保できるθ⊥とθ｜｜の組み合わせのラインは図８のようになる。
【００３３】
図８は図中の各ラインより左下の領域におけるθ｜｜とθ⊥の任意の組み合わせにおいて、ＣＤ側光ディスク盤面上パワー４０ｍＷ以上を満たすことを示している。ここで例えば、θ｜｜が９度、θ⊥が１６度となる組み合わせを許容するためには、図８のライン（ｂ）に示す光学系倍率５．７倍以下を確保する必要がある。また、例えばθ｜｜が９度、θ⊥が１７度となる組み合わせを許容するためには、図８のライン（ｄ）に示すとおり、光学系倍率は５．５倍以下を確保すればよい。このように光学系倍率が低いほど、さらに広い範囲のθ｜｜およびθ⊥の値に対応が可能となる。
【００３４】
また、ＣＤ側対物レンズＮＡは必ずしも０．５０である必要はない。例えばＣＤ側対物レンズＮＡが０．５３のとき、ＣＤ側半導体レーザ光源の光パルス出力の絶対最大定格を２００ｍＷとし、部品効率を６０％以上とすると、ＣＤ側光ディスク盤面上パワー４０ｍＷを確保するためには、例えば光学系倍率５．７倍以下のときは、図９のライン（ａ）の左下の領域のθ｜｜およびθ⊥の組み合わせとすればよい。図９は図中の各ラインより左下の領域におけるθ｜｜とθ⊥の任意の組み合わせにおいて、ＣＤ側光ディスク盤面上パワー４０ｍＷ以上を満たすことを示している。このように、ＣＤ側対物レンズＮＡは大きくなるほど、さらに広い範囲のθ｜｜およびθ⊥の値に対応が可能となる。したがって、ＣＤ側対物レンズＮＡが０．５０以上において、光学系倍率が５．７倍以下であれば、θ｜｜が９度、θ⊥が１６度となる組み合わせを許容する。
【００３５】
同様に、例えばＣＤ側対物レンズＮＡが０．５３のとき、光学系倍率５．５倍以下では、図９のライン（ｂ）の左下の領域のθ｜｜およびθ⊥の組み合わせとすればよい。図９は図中の各ラインより左下の領域におけるθ｜｜とθ⊥の任意の組み合わせにおいて、ＣＤ側光ディスク盤面上パワー４０ｍＷ以上を満たすことを示している。したがって、ＣＤ側対物レンズＮＡが０．５０以上において、光学系倍率が５．５倍以下であれば、θ｜｜が９度、θ⊥が１７度となる組み合わせを許容する。
【００３６】
なお、上記のようにＣＤ側ディスク盤面上パワーを算出する際に、ＣＤ側半導体レーザ光源の光パルス出力の絶対最大定格を２００ｍＷとしたが、当然これに限定されるものではなく、絶対最大定格が２００ｍＷ以上のものを用いても一向に構わない。
【００３７】
以上まとめると、本発明の光ピックアップ装置に関する第１の実施例は、ＤＶＤ系ディスクの再生性能を確保するためＤＶＤ側の光ディスク半径方向スポット径が１．０３μm以下となることを特徴としており、そのために、ＤＶＤ側半導体レーザ光源のθ｜｜が９度以上、かつ、ＤＶＤ側ＮＡが０．６０乃至０．６５において前記数（３）で表す光学系倍率以上を有することを特徴とする。
【００３８】
また、第２の実施例では、ＤＶＤ系ディスクの再生性能を確保するためＤＶＤ−ＲＡＭ２に対するクロストークが−２２ｄＢ以下となることを特徴としており、そのために、ＤＶＤ側半導体レーザ光源のθ｜｜＝９度以上、かつ、ＤＶＤ側ＮＡが０．６０乃至０．６５において前記数（５）で表す光学系倍率以上を有することを特徴とする。
【００３９】
なお、第１および第２の実施例において、ＤＶＤ系ディスクの再生性能を確保するとともに、ＣＤ系ディスクの記録性能を確保するために、ＣＤ側半導体レーザ光源の絶対最大定格の光パルス出力時にＣＤ側光ディスク盤面上パワーが４０ｍＷ以上となることを特徴としている。そのためには、ＣＤ側半導体レーザ光源の光パルス出力の絶対最大定格は２００ｍＷ以上であり、ＣＤ側半導体レーザ光源のθ｜｜が９度以下、θ⊥が１６度以下であり、ＣＤ側ＮＡは０．５０以上であり、かつ、光学系倍率は５．７倍以下とすれば良い。もしくは、ＣＤ側半導体レーザ光源の光パルス出力の絶対最大定格は２００ｍＷ以上であり、ＣＤ側半導体レーザ光源のθ｜｜が９度以下、θ⊥が１７度以下であり、ＣＤ側ＮＡは０．５０以上であり、かつ、光学系倍率は５．５倍以下とすれば良い。
【００４０】
以上述べたように、本発明の効果としては、ＤＶＤ側半導体レーザ光源のθ｜｜およびＤＶＤ側ＮＡの範囲を限定することで、光学系倍率を従来のＤＶＤ側光学系倍率よりも低く設定することができる。また、ＣＤ側半導体レーザ光源の光パルス出力の絶対最大定格、θ｜｜およびθ⊥、また、ＣＤ側ＮＡを制限することで、光学系倍率を従来のＣＤ側光学系倍率よりも高く設定することができる。上記の効果により、ＤＶＤ側光学系とＣＤ側光学系で共有できる光学系倍率が生まれる。これにより、ＤＶＤ／ＣＤの光学系倍率を共通にせざるを得ない２波長マルチレーザ光源を搭載したコンビ光ピックアップ装置が実現可能となる。
【００４１】
なお、本実施例において、θ｜｜方向は図１０（a）のように光ディスクの半径方向に合わせているが、本発明はこれに限定されるものではなく、θ｜｜方向と光ディスクのなす角が例えば図１０(b)のように所定の角度φ（０＜φ≦９０度）であっても一向に構わない。例えば、上記で議論したＣＤ側カップリング効率は該角度φに依らず一定であり、また、上記で議論したＤＶＤ−ＲＡＭ２に対するクロストーク値も、φ＞０の場合には、θ｜｜方向をＤＶＤ側光ディスク半径方向に合わせたφ＝０の場合と比べてＤＶＤ側光ディスク半径方向の光スポット径が小さくなるため、ＤＶＤ−ＲＡＭ２クロストーク値も小さくなり、上記で議論した光学系倍率が当てはまるからである。
【００４２】
続いて、本発明の光ピックアップ装置を搭載した光ディスク装置の概略ブロック図を図１１に示す。光ピックアップ装置７０は、例えば図１に示すような構成であり、光ピックアップ装置７０により検出された各種検出信号は、信号処理回路内のサーボ信号生成回路７４及び情報信号再生回路７５に送られる。サーボ信号生成回路７４では、これら検出信号から各光ディスクに適したフォーカスエラー信号やトラッキングエラー信号が生成され、これを基にアクチュエータ駆動回路７３を経て光ピックアップ装置７０内の対物レンズアクチュエータを駆動し、対物レンズの位置制御を行う。また情報信号再生回路７５では前記検出信号から光ディスク１００に記録された情報信号が再生される。なお前記サーボ信号生成回路７４及び情報信号再生回路７５で得られた信号の一部はコントロール回路７６に送られる。コントロール回路７６は、これら各種信号を用いて、その時再生しようとしている光ディスク１００の種類を判別し、レーザ点灯回路７７を駆動させる。なおコントロール回路７６にはアクセス制御回路７２とスピンドルモータ駆動回路７１が接続されており、それぞれ光ピックアップ装置７０のアクセス方向位置制御や光ディスク１００のスピンドルモータ６０の回転制御が行われる。
【図面の簡単な説明】
【００４３】
【図１】本発明の光ピックアップ装置における第１の実施例を示す概略構成図である。
【図２】スポット径と光学系倍率の関係を表す線図である。
【図３】ＤＶＤ側ＮＡと最小光学倍率の関係を表す図である。
【図４】ＤＶＤ−ＲＡＭ２に対するクロストークの定義を示す概念図である。
【図５】ＤＶＤ−ＲＡＭ２に対するクロストークと光学系倍率の関係を表す線図である。
【図６】ＤＶＤ側ＮＡと最小光学倍率の関係を表す図である。
【図７】ＣＤ側の記録速度と記録パワーを示す図である。
【図８】ＣＤ側光ディスク盤面上パワーが４０ｍＷ以上となるθ⊥とθ｜｜の組み合わせを示す図である。
【図９】ＣＤ側光ディスク盤面上パワーが４０ｍＷ以上となるθ⊥とθ｜｜の組み合わせを示す図である。
【図１０】光スポットの傾きと光ディスクの方向を表す図である。
【図１１】本発明における光ディスク装置に関する実施例を示した図である。
【符号の説明】
【００４４】
１…２波長マルチレーザ光源、２…回折格子、３…ビームスプリッター、４…コリメートレンズ、５…立ち上げミラー、６…対物レンズ、７…光ディスク、８…検出レンズ、９…光検出器、６０…スピンドルモータ、７０…光ピックアップ装置、７１…スピンドルモータ駆動回路、７２…アクセス制御回路、７３…アクチュエータ駆動回路、７４…サーボ信号生成回路、７５…情報信号再生回路、７６…コントロール回路、７７…レーザ点灯回路、１００…光ディスク。
【図１】
2005158126.tif 000003
【図２】
2005158126.tif 000004
【図３】
2005158126.tif 000005
【図４】
2005158126.tif 000006
【図５】
2005158126.tif 000007
【図６】
2005158126.tif 000008
【図７】
2005158126.tif 000009
【図８】
2005158126.tif 000010
【図９】
2005158126.tif 000011
【図１０】
2005158126.tif 000012
【図１１】
2005158126.tif 000013